(57)【要約】      （修正有）【課題】警告灯と表示灯と画像表示部を有するメータクラスタにおいて、表示灯を考慮して警告灯の認知度を向上する。【解決手段】表示画像生成装置は、警告灯と、車両の機器の操作状況を示す表示灯と、画像表示部２１とを有する車両のメータクラスタの、画像表示部２１における表示画像を生成する。表示画像生成装置は表示画像生成部５を備える。表示画像生成部５は、警告灯が点灯した場合に、警告灯の点灯を通知する警告アイコンをベース画像に重畳して表示し、表示灯が点灯した場合に、表示灯の点灯を通知する表示アイコンをベース画像に重畳して表示する。また、警告灯と表示灯が共に点灯する場合、警告アイコンは表示アイコンより目立たない態様となる。【選択図】図１
2015081058.tif 000002
【特許請求の範囲】
【請求項１】
警告灯と、車両の機器の操作状況を示す表示灯と、画像表示部とを有する車両のメータクラスタの、前記画像表示部における表示画像を生成する表示画像生成装置であって、
前記警告灯が点灯した場合に、当該警告灯の点灯を通知する警告アイコンをベース画像に重畳して表示し、前記表示灯が点灯した場合に、当該表示灯の点灯を通知する表示アイコンを前記ベース画像に重畳して表示する前記表示画像を生成する表示画像生成部を備え、
前記警告灯と前記表示灯が共に点灯する場合、前記警告アイコンは前記表示アイコンより目立たない態様である、
表示画像生成装置。
【請求項２】
前記目立たない態様とは、表示しないことである、
請求項１に記載の表示画像生成装置。
【請求項３】
前記目立たない態様とは、表示サイズが小さいこと、表示輝度が低いこと、表示色の彩度が低いことの少なくともいずれかである、
請求項１に記載の表示画像生成装置。
【請求項４】
前記表示画像生成部は、前記警告灯が点灯した場合に、前記表示灯が点灯していなければ前記警告アイコンを前記ベース画像に重畳して表示する前記表示画像を生成する、
請求項２に記載の表示画像生成装置。
【請求項５】
前記表示画像生成部は、前記警告灯が点灯した後に前記表示灯が点灯すると、前記警告アイコンの表示を前記表示アイコンより目立たない態様に変更する前記表示画像を生成する、
請求項１〜４のいずれかに記載の表示画像生成装置。
【請求項６】
前記表示画像生成部は、前記警告灯と前記表示灯のうち前記表示灯のみが点灯する場合、前記警告灯と前記表示灯が共に点灯する場合よりも、前記表示アイコンを目立たない態様で表示する前記表示画像を生成する、
請求項１又は３に記載の表示画像生成装置。
【請求項７】
前記表示画像生成部は、前記警告灯と前記表示灯が共に点灯する場合、前記警告灯と前記表示灯のうち前記警告灯のみが点灯する場合よりも、前記警告アイコンを目立たない態様で表示する前記表示画像を生成する、
請求項１又は３に記載の表示画像生成装置。
【請求項８】
前記表示画像生成部は、前記警告アイコンを、前記画像表示部の画面中心から当該警告アイコンが点灯を通知する前記警告灯の側に寄った位置に表示し、前記表示アイコンを、前記画像表示部の画面中心から当該表示アイコンが点灯を通知する前記表示灯の側に寄った位置に表示する前記表示画像を生成する、
請求項１〜７のいずれかに記載の表示画像生成装置。
【請求項９】
前記警告アイコンの前記画像表示部の表示画面上の表示位置は、当該警告アイコンが点灯を通知する前記警告灯の点灯開始からの経過時間に応じて変化し、変化後の表示位置は、前記画像表示部の画面中心から当該警告灯の側に寄った位置である、
請求項１〜７のいずれかに記載の表示画像生成装置。
【請求項１０】
前記表示画像生成部は、前記ベース画像に重畳する背景画像に、前記警告アイコンを重畳させて表示する前記表示画像を生成する、
請求項１〜９のいずれかに記載の表示画像生成装置。
【請求項１１】
前記表示画像生成部は、前記警告灯と前記表示灯のうち前記警告灯のみが点灯した場合、前記ベース画像に重畳する背景画像に、前記警告アイコンを重畳させて表示する前記表示画像を生成し、前記警告灯と前記表示灯が共に点灯する場合、前記警告アイコンを前記背景画像なしで前記ベース画像に重畳させて表示する前記表示画像を生成する、
請求項１に記載の表示画像生成装置。
【請求項１２】
前記背景画像は、単色又は前記ベース画像と色相が異なる画像である、
請求項１０又は１１に記載の表示画像生成装置。
【請求項１３】
前記警告アイコンが重畳される前記背景画像のサイズは、当該警告アイコンが点灯を通知する前記警告灯の点灯開始からの経過時間に応じて小さくなる、
請求項１０〜１２のいずれかに記載の表示画像生成装置。
【請求項１４】
前記表示画像生成部は、前記警告アイコンを、当該警告アイコンが点灯を通知する前記警告灯の点灯開始から予め定めた時間のみ表示する前記表示画像を生成する、
請求項１〜１３のいずれかに記載の表示画像生成装置。
【請求項１５】
前記表示画像生成部は、点灯を通知する前記警告灯の点灯開始から予め定めた時間が経過した前記警告アイコンを、予め定めた条件により再表示する前記表示画像を生成する、
請求項１４に記載の表示画像生成装置。
【請求項１６】
前記表示画像生成部は、点灯中の前記警告灯の名称、警告内容、警告への対応方法の少なくともいずれかを示す警告テキストを、前記背景画像内に表示する前記表示画像を生成する、
請求項１０〜１３のいずれかに記載の表示画像生成装置。
【請求項１７】
前記警告テキストは警告への対応方法を示し、
前記表示画像生成部は、車両の停車時に前記警告テキストを前記背景画像内に表示する前記表示画像を生成する、
請求項１６に記載の表示画像生成装置。
【請求項１８】
前記表示画像生成部は、前記警告灯が点灯した場合に、前記表示灯が点灯しておらず、前記ベース画像が経路案内画像またはテロップを含まなければ、当該警告灯の点灯を通知する警告アイコンをベース画像に重畳して表示する前記表示画像を生成する、
請求項４に記載の表示画像生成装置。
【請求項１９】
警告灯と、車両の機器の操作状況を示す表示灯と、画像表示部とを有する車両のメータクラスタの、前記画像表示部における表示画像を生成する表示画像生成方法であって、
（ａ）前記警告灯が点灯した場合に、当該警告灯の点灯を通知する警告アイコンをベース画像に重畳して表示し、前記表示灯が点灯した場合に、当該表示灯の点灯を通知する表示アイコンを前記ベース画像に重畳して表示する工程を備え、
前記工程（ａ）は、前記警告灯と前記表示灯が共に点灯する場合、前記警告アイコンを前記表示アイコンより目立たない態様で表示する工程である、
表示画像生成方法。
【発明の詳細な説明】
【技術分野】
【０００１】
この発明は、車両のメータクラスタの表示画像を生成する技術に関する。
【背景技術】
【０００２】
車両のメータクラスタには、速度計や回転計などのメータ、警告灯、表示灯の他、表示画面を備えたものがある。表示画面では、例えば自車位置周辺地図等が表示される。警告灯は、例えばドアが非ロック状態にあることや、ガソリンの残量が僅かであること等、車両の状態に関する警告を行う。表示灯は、車両の方向指示器を操作した際に点灯するものである。
【０００３】
このようなメータクラスタは、警告灯が表示画面の近傍に設けられると、ユーザは表示画面の表示画像に注意を惹かれるあまり、警告灯の点灯の認知度が低くなるという問題がある。
【０００４】
この問題に対して特許文献１に開示されたメータクラスタでは、警告灯が点灯する際には表示画像をモノクロにするなど、表示画像の色相を制御することにより、警告灯を目立たせる工夫を行っている。
【先行技術文献】
【特許文献】
【０００５】
【特許文献１】特開２００７−１１８８９２号公報
【発明の概要】
【発明が解決しようとする課題】
【０００６】
しかしながら、特許文献１の技術によれば、表示画像の色調に対する設計制約が生じるという問題がある。また、さらなる警告灯の視認性向上が求められていた。
【０００７】
そこで、本発明は上述の問題点に鑑み、警告灯と表示灯と画像表示部を有するメータクラスタにおいて、表示灯を考慮して警告灯の認知度を向上することを目的とする。
【課題を解決するための手段】
【０００８】
本発明の表示画像生成装置は、警告灯と、車両の機器の操作状況を示す表示灯と、画像表示部とを有する車両のメータクラスタの、画像表示部における表示画像を生成する表示画像生成装置であって、警告灯が点灯した場合に、当該警告灯の点灯を通知する警告アイコンをベース画像に重畳して表示し、表示灯が点灯した場合に、当該表示灯の点灯を通知する表示アイコンをベース画像に重畳して表示する表示画像を生成する表示画像生成部を備え、警告灯と表示灯が共に点灯する場合、警告アイコンは表示アイコンより目立たない態様である。
【０００９】
本発明の第１の表示画像生成方法は、警告灯と、車両の機器の操作状況を示す表示灯と、画像表示部とを有する車両のメータクラスタの、画像表示部における表示画像を生成する表示画像生成方法であって、（ａ）警告灯が点灯した場合に、当該警告灯の点灯を通知する警告アイコンをベース画像に重畳して表示し、表示灯が点灯した場合に、表示灯の点灯を通知する表示アイコンをベース画像に重畳して表示する工程を備え、工程（ａ）は、警告灯と表示灯が共に点灯する場合、警告アイコンを表示アイコンより目立たない態様で表示する工程である。
【発明の効果】
【００１０】
本発明の表示画像生成装置は、警告灯と、車両の機器の操作状況を示す表示灯と、画像表示部とを有する車両のメータクラスタの、画像表示部における表示画像を生成する表示画像生成装置であって、警告灯が点灯した場合に、当該警告灯の点灯を通知する警告アイコンをベース画像に重畳して表示し、表示灯が点灯した場合に、当該表示灯の点灯を通知する表示アイコンをベース画像に重畳して表示する表示画像を生成する表示画像生成部を備え、警告灯と表示灯が共に点灯する場合、警告アイコンは表示アイコンより目立たない態様である。よって、警告灯と表示灯と画像表示部を有するメータクラスタにおいて、表示灯を考慮して警告灯の認知度を向上させることができる。
【００１１】
本発明の第１の表示画像生成方法は、警告灯と、車両の機器の操作状況を示す表示灯と、画像表示部とを有する車両のメータクラスタの、画像表示部における表示画像を生成する表示画像生成方法であって、（ａ）警告灯が点灯した場合に、当該警告灯の点灯を通知する警告アイコンをベース画像に重畳して表示し、表示灯が点灯した場合に、表示灯の点灯を通知する表示アイコンをベース画像に重畳して表示する工程を備え、工程（ａ）は、警告灯と表示灯が共に点灯する場合、警告アイコンを表示アイコンより目立たない態様で表示する工程である。
【図面の簡単な説明】
【００１２】
【図１】実施の形態１に係る表示画像生成装置の構成を示すブロック図である。
【図２】実施の形態１に係るメータクラスタの構成を示す図である。
【図３】実施の形態１に係る表示画像生成装置の動作を示すフローチャートである。
【図４】実施の形態１に係る表示画像生成装置の動作を示す図である。
【図５】実施の形態１に係る表示画像生成装置の動作を示す図である。
【図６】実施の形態１に係る表示画像生成装置の動作を示すフローチャートである。
【図７】実施の形態２に係る表示画像生成装置の動作を示す図である。
【図８】警告灯の緊急度と警告アイコンの表示態様を示す図である。
【図９】実施の形態２に係る表示画像生成装置の動作を示すフローチャートである。
【図１０】実施の形態２の変形例に係る表示画像生成装置の動作を示す図である。
【図１１】実施の形態３に係る表示画像生成装置の動作を示す図である。
【図１２】実施の形態３の変形例に係る表示画像生成装置の動作を示す図である。
【図１３】実施の形態４に係るメータクラスタの構成を示す図である。
【図１４】実施の形態４に係る表示画像生成装置の構成を示すブロック図である。
【図１５】実施の形態４に係る表示画像生成装置の動作を示す図である。
【図１６】実施の形態４に係る表示画像生成装置の動作を示すフローチャートである。
【図１７】実施の形態４の変形例に係る表示画像生成装置の動作を示す図である。
【発明を実施するための形態】
【００１３】
＜Ａ．実施の形態１＞
＜Ａ−１．構成＞
図１は、実施の形態１に係る表示画像生成装置１００の構成を示すブロック図である。表示画像生成装置１００は、車両のメータクラスタ２０（例えば図２）の表示画像を生成する装置である。
【００１４】
図２は、メータクラスタ２０の構成図である。メータクラスタ２０は、画像表示部２１の他、車両の状態に関する警告を表示する警告灯２２や、機械式メータ２３を備えている。画像表示部２１は、液晶パネルなどのディスプレイである。なお、図２には、警告灯２２の例として、バッテリーに対して充電が行われていないことを示す充電器警告灯を示している。警告灯２２は画像表示部２１の近傍に設けられるため、ユーザは画像表示部２１の表示画像に注意を惹かれるあまり、警告灯の点灯を認知しないおそれがある。そこで、実施の形態１の表示画像生成装置１００では、図２（ａ）に示すように、警告灯２２が点灯する際、当該点灯を通知する警告オブジェクト２２Ａを画像表示部２１の表示画像に重畳表示する。これにより、警告オブジェクト２２Ａの視認を通じて、ユーザが警告灯２２の点灯を認知できるようにしている。図２（ｂ）は、警告灯２２の点灯時に警告オブジェクト２２Ａを表示しない場合を示す比較例である。
【００１５】
図１において、表示画像生成装置１００は、操作入力部１、車内ＬＡＮ（Local Area Network）、描画オブジェクトデータ格納部３、表示内容判断部４、および表示画像生成部５を備えている。なお、表示画像生成部５は、メータクラスタ２０の画像表示部２１と接続されている。
【００１６】
操作入力部１は、表示画像生成装置１００の入力インタフェースであり、ユーザ操作を受け付ける。操作入力部１は、例えば機械的または電子的なスイッチにより構成され、表示画像生成装置１００と別筐体のリモコンによって構成されていてもよい。
【００１７】
車内ＬＡＮインタフェース部２は、車内ＬＡＮと接続しており、車両の位置情報、車両の速度などの走行情報、および警告情報を取得する。ここで警告情報とは、例えばドアが非ロック状態にあることや、ガソリンの残量が僅かであること等、車両の状態を警告する情報である。
【００１８】
描画オブジェクトデータ格納部３は、地図を生成するための地図データや、警告オブジェクト２２Ａ（図２（ａ）参照）等、画像表示部２１の表示画像を生成するうえで必要となる各種の描画オブジェクトデータを格納している。また、画像表示部２１と警告灯２２の位置関係を示す警告灯位置情報を格納している。描画オブジェクトデータ格納部３は、ＨＤＤ（Hard Disk Drive）やＳＤ（Secure Digital）メモリなどの記憶媒体により構成される。なお、表示画像生成装置１００は描画オブジェクトデータ格納部３を備えず、必要に応じて外部サーバ等から描画オブジェクトデータを取得する構成としてもよい。
【００１９】
表示内容判断部４は、操作入力部１からユーザ操作情報を取得し、車内ＬＡＮインタフェース部２から車両の位置情報や警告情報を取得し、これらに基づいて生成すべき表示画像を決定する。
【００２０】
表示画像生成部５は、ベース画像生成部６、警告オブジェクト生成部７、および画像合成部８を備えており、表示内容判断部４の指示を受けて表示画像を生成する。ベース画像生成部６は、描画オブジェクトデータ格納部３から必要な描画オブジェクトデータを取得し、描画オブジェクトを組み合わせて自車位置周辺図などのベース画像を生成する。警告オブジェクト生成部７は、警告灯２２の点灯時に警告オブジェクト２２Ａを生成する。警告オブジェクト２２Ａは、描画オブジェクトデータ格納部３に格納された描画オブジェクトデータから警告アイコン２２Ｂを生成し、警告アイコン２２Ｂに単色又はベース画像と色相が異なる背景画像２２Ｃを合成することにより生成する。画像合成部８は、ベース画像と警告オブジェクト２２Ａを合成して表示画像を生成する。画像合成部８が生成した表示画像は、画像表示部２１に出力され、画像表示部２１の表示画面に表示される。
【００２１】
＜Ａ−２．動作＞
図３は、表示画像生成装置１００の動作を示すフローチャートである。以下、表示画像生成装置１００の電源投入後の動作を図４に沿って説明する。
【００２２】
電源が投入されると、表示画像生成装置１００はベース画像を生成する（ステップＳ１）。具体的には、操作入力部１から入力されたユーザ操作に従いベース画像を生成する。例えばベース画像として自車位置周辺図を生成する場合、表示内容判断部４が車内ＬＡＮインタフェース部２から車両の位置情報を取得して表示画像生成部５に出力する。そして、ベース画像生成部６は当該位置情報に基づき、描画オブジェクトデータ格納部３から描画オブジェクトデータを取得し、自車位置周辺図を生成する。
【００２３】
次に表示内容判断部４は、警告灯２２が点灯したか否かを判断する（ステップＳ２）。表示内容判断部４は、車内ＬＡＮインタフェース部２が警告情報を受信していなければ、警告灯２２が点灯していないと判断する。このとき、警告オブジェクト生成部７は透明画像を警告オブジェクトとする（ステップＳ３）。次に、画像合成部８がベース画像と警告オブジェクトを合成する（ステップＳ６）。ここで、警告オブジェクトは透明画像であるため、ステップＳ６で合成した画像はベース画像と同一である。
【００２４】
ステップＳ２で車内ＬＡＮインタフェース部２が警告情報を受信していれば、表示内容判断部４は警告灯２２が点灯していると判断する。このとき警告オブジェクト生成部７は、描画オブジェクトデータ格納部３を参照して警告アイコン２２Ｂを生成する（ステップＳ４）。警告アイコン２２Ｂの描画オブジェクトデータは描画オブジェクトデータ格納部３に格納されており、警告アイコン２２Ｂは警告灯２２と同一の図形である。次に、警告オブジェクト生成部７は、警告アイコン２２Ｂと単色の背景画像２２Ｃを合成して、警告オブジェクト２２Ａを生成する（ステップＳ５）。ここで、単色の背景画像２２Ｃに警告アイコン２２Ｂを重畳させることにより、警告オブジェクト２２Ａをベース画像と合成したときに、警告アイコン２２Ｂの視認性が向上する。次に、画像合成部８がベース画像と警告オブジェクト２２Ａを合成し、表示画像を生成する（ステップＳ６）。
【００２５】
表示画像生成部５で生成された表示画像は、画像表示部２１に表示情報として出力される（ステップＳ７）。こうして、画像表示部２１では、警告灯２２が点灯していない場合にベース画像のみが表示され、警告灯２２が点灯している場合にはベース画像に警告オブジェクト２２Ａが重畳されて表示される（図２（ａ））。次に、操作入力部１に操作入力があるか否かを判断する（ステップＳ８）。操作入力があればステップＳ１に戻り、なければステップＳ２に戻る。
【００２６】
なお、図２（ａ）では、メータクラスタ２０に一つの警告灯２２のみ示しているが、警告灯２２は複数あってよい。
【００２７】
ステップＳ６において画像合成部８は、描画オブジェクトデータ格納部３から、画像表示部２１と警告灯２２の位置関係を示す警告灯位置情報を取得し、警告灯位置情報に基づき、画像表示部２１の表示画面の中心から警告灯２２寄りの位置に警告オブジェクト２２Ａが表示されるように、表示画像を生成した。これにより、ユーザは、警告オブジェクト２２Ａから警告灯２２を容易に辿り、警告灯２２の点灯を認知することができる。
【００２８】
しかし、警告オブジェクト２２Ａの表示態様は、図２（ａ）に示すものに限らない。警告オブジェクト生成部７と画像合成部８は、警告灯２２の点灯開始からの経過時間を把握しておき、経過時間によって警告オブジェクト２２Ａの位置と大きさを変化させ、変化後の最終位置が表示画面の中心から警告灯２２寄りにあっても良い。
【００２９】
例えば、図４に示すように、警告灯２２の点灯開始時は、表示画面の中央に大きく警告オブジェクト２２Ａを表示することで（図４（ａ））、ユーザに警告灯２２の点灯を強く認知させる。その後、時間の経過と共に、背景画像２２Ｃを小さくすると共に、表示画面の中心から警告灯２２寄りの位置に警告オブジェクト２２Ａを移動させる（図４（ｂ），（ｃ），（ｄ））。これにより、ベース画像の視認を大きく阻害することなく、ユーザに警告灯２２の点灯を認知させ続けることができ、さらに、警告オブジェクト２２Ａの位置から警告灯２２へ辿ることもできる。
【００３０】
なお、図４（ａ）に示すように、警告灯２２の開始時に限って、警告オブジェクト２２Ａの背景画像２２Ｃ上に、警告灯２２の警告内容を示す「バッテリー残量小」という警告テキスト２２Ｄを警告アイコン２２Ｂと併せて表示しても良い。この場合、警告オブジェクト生成部７が警告情報に基づき警告テキスト２２Ｄを生成し、画像合成部８により警告テキスト２２Ｄを警告オブジェクト２２Ａに合成する。これにより、警告灯２２の点灯開始時に警告内容を分かりやすくユーザに伝えることができる。警告テキスト２２Ｄは警告灯２２の警告内容の他、警告灯２２の名称や、警告への対応方法などを示すものであっても良い。また、警告への対応方法を示す警告テキスト２２Ｄは、車両の停車時に限って表示することにより、車両走行時の安全を考慮しても良い。車両の停車時か否かは、表示内容判断部４が車内ＬＡＮインタフェース部から取得する走行情報から判断することが可能である。
【００３１】
図２や図４には、警告オブジェクト２２Ａをベース画像に重畳する表示態様について説明したが、図５に示すように、画像表示部２１の表示画面を左右に２分割し、左画面に警告オブジェクト２２Ａを、右画面に他方に地図画像を表示しても良い。この場合は、左側が透明で右側が地図画像であるベース画像をベース画像生成部６で生成し、このベース画像の透明部分に警告オブジェクト２２Ａが重なるように、画像合成部８で合成を行えばよい。なお、ここで左画面に警告オブジェクト２２Ａを表示するのは、警告灯２２により近い画面だからである。なお、表示画面の分割数は２より多くても良いし、上下に分割しても良い。
【００３２】
また、警告灯２２が点灯する間、警告オブジェクト２２Ａを常に表示するのではなく、警告灯２２の点灯開始から一定期間が経過すると警告オブジェクト２２Ａの表示をやめても良い。この場合の表示画像生成装置１００の動作を図６のフローチャートに示す。ここでは、図３のフローチャートと異なる部分のみ説明する。表示内容判断部４は、警告灯２２が点灯中であると判断すると（ステップＳ２でＹＥＳ）、次に、点灯開始から所定時間が経過しているか否かを判断する（ステップＳ９）。所定時間が経過していなければ警告アイコンを生成するが（ステップＳ４）、所定時間が経過していればステップＳ３に遷移し、警告オブジェクトを透明画像とする（ステップＳ３）。このように、警告灯２２の点灯開始から所定時間表示される警告アイコン２２Ｂを通じてユーザが警告灯２２の点灯を認知した後は、警告オブジェクト２２Ａを消去することにより、ベース画像の表示領域を増やすことができる。
【００３３】
また、警告灯２２の点灯開始から所定時間が経過して消去した警告オブジェクト２２Ａは、所定のユーザ操作を受けた場合や、消去してからの所定時間が経過してもなお警告灯２２の点灯が継続している場合等、予め定めた条件を満たす場合に、再び表示しても良い。なお、ベース画像が経路案内画像などユーザにとって重要度の高い画像である場合には、ベース画像の視認性を優先するために警告オブジェクト２２Ａの再表示を待機しても良い。
【００３４】
＜Ａ−３．効果＞
実施の形態１の表示画像生成装置１００において、表示画像生成部５は、警告灯２２が点灯した場合に、警告灯２２の点灯を通知する警告アイコン２２Ｂをベース画像に重畳する表示画像を生成する。したがって、ユーザは警告アイコン２２Ｂを視認することにより、警告灯２２の点灯を認知することが出来る。
【００３５】
また、表示画像生成部５は、警告アイコン２２Ｂを、画像表示部２１の画面中心から警告アイコン２２Ｂが点灯を通知する警告灯２２の側に寄った位置に表示する表示画像を生成する。したがって、ユーザは、警告オブジェクト２２Ａから警告灯２２を容易に辿り、警告灯２２の点灯を認知することができる。
【００３６】
また、表示画像生成部５は、ベース画像に重畳する単色の背景画像２２Ｃに、警告アイコン２２Ｂを重畳する表示画像を生成する。したがって、警告アイコン２２Ｂの視認性が向上する。
【００３７】
また、実施の形態１に係る表示画像生成方法は、（ａ）警告灯２２が点灯した場合に、当該警告灯２２の点灯を通知する警告アイコン２２Ｂをベース画像に重畳する表示画像を生成する工程を備える。したがって、ユーザは警告アイコン２２Ｂを視認することにより、警告灯２２の点灯を認知することが出来る。
【００３８】
以下、認知度が低い表示態様または視認性が低い表示態様を、「目立たない表示」または「目立たない表示態様」とも表現する。一般的に目立たない表示態様とは、表示オブジェクト単体では表示オブジェクトの形状、色デザイン、動作により実現され、背景などの他の表示オブジェクトとの関係においては、他の表示オブジェクトとの表示態様の差異により実現される。
【００３９】
表示オブジェクト単体では、形状が小さい程、明度、彩度が小さい程、または色相、形状変化動作（アニメーション）が少ない、色変化アニメーションが少ない程、目立たない表示態様となる。また、他の表示オブジェクトとの関係においては、周囲との彩度、輝度、色相の差異が小さい程目立たず、描画オブジェクトを目立たせるための付加表示の表示態様により目立たなくなる。例えば、背景全体の色相が黒の場合は、表示オブジェクトは色相が異なる白の方が目立ち、暗い灰色ほど目立たない。背景全体の色相が白の場合は、表示オブジェクトは色相が異なる黒のほうが目立ち、明るい灰色ほど目立たない。表示オブジェクトの背景に表示する背景オブジェクトに関してもまた、背景全体の色相と差異が少ないほど目立たない。また、表示画面全体が地味なデザインの場合は、地味な表示オブジェクトは目立たず、表示画面全体が派手なデザインの場合は、派手な表示オブジェクトは目立たない。また、これらの相互の組み合わせにより目立たない表示態様を採用することができる。
【００４０】
＜Ｂ．実施の形態２＞
＜Ｂ−１．構成、動作＞
実施の形態２の表示画像生成装置１０１の構成は、図１に示す実施の形態１の表示画像生成装置１００の構成と同様である。
【００４１】
図７は、実施の形態２の表示画像生成装置１０１により生成された表示画像を表示する画像表示部２１を含む、メータクラスタ２０の構成図である。メータクラスタ２０の構成は図２と同様であるが、ここでは、警告灯２２に代えて、画像表示部２１の周囲に複数の警告灯３１，３２，３３，３４，３５を示している。そのうち、警告灯３１，３３が点灯しており、警告灯３１，３３に対応した警告オブジェクト３１Ａ，３３Ａが画像表示部２１に表示されている。
【００４２】
警告オブジェクト３１Ａの警告アイコン３１Ｂは、警告灯３１と同じ大きさで表示されているが、警告オブジェクト３３Ａの警告アイコン３３Ｂは、警告灯３３よりも大きく拡大表示されている。このように、実施の形態２では、警告アイコンの表示態様を警告灯の緊急度に応じて変化させることにより、緊急度の高い警告灯の警告アイコンをより目立たせて表示し、警告灯の認知度を高める。
【００４３】
図８は、警告灯の種類に応じた緊急度と警告アイコンの表示態様を示す図である。例えば、ＡＢＳ（Antilock Brake System）警告灯は緊急度が小であるため、その警告アイコンは通常表示される。ここで通常表示とは、警告灯と同じ大きさで警告灯と同じ図形を表示することである。また、充電器警告灯は緊急度が中であるため、その警告アイコンは拡大表示される。
【００４４】
図９は、実施の形態２の表示画像生成装置１０１の動作を示すフローチャートである。図７に示す警告オブジェクト３３Ａの描画を例に、図３に示すフローチャートと異なる点を説明する。警告オブジェクト生成部７は、描画オブジェクトデータ格納部３を参照して警告アイコン３３Ｂを生成する（ステップＳ４）。ここでは、描画オブジェクトデータ格納部３に格納された描画オブジェクトデータに沿って、警告灯３３と同一の図形を警告アイコン３３Ｂとして生成する。次に、緊急度に応じて警告アイコンを変形する（ステップＳ１０）。表示内容判断部４にはが、図８に示すような警告灯の緊急度と警告アイコンの表示態様を示すテーブルが格納されている。表示内容判断部４は、警告灯の緊急度と警告アイコンの表示態様を示すテーブルと、車内ＬＡＮインタフェース部２から取得する警告情報から警告灯の緊急度を判断し、当該緊急度に応じて警告アイコンの表示態様を決定する。あるいは、警告灯の緊急度を示す情報が予め警告情報の中に含められていても良い。また、車内ＬＡＮインタフェース部２から取得する警告情報に具体的な警告内容が含まれており、それに応じて表示内容判断部４が緊急度を決定しても良い。例えば充電器警告灯であれば、警告内容が「バッテリー残量：２５％」のときは緊急度を中とし、警告内容が「バッテリー残量：１０％」のときは緊急度を大にする。
【００４５】
＜Ｂ−２．変形例＞
なお、図７では、警告アイコン３１Ｂ，３３Ｂをそれぞれ背景画像３１Ｃ，３３Ｃに重畳させたが、背景画像３１Ｃ，３３Ｃはなくても良い。
【００４６】
また、警告灯の緊急度に応じて、警告アイコンではなく背景画像の表示態様を変化させても良い。例えば緊急度の高い警告灯に対しては、緊急度の低い警告灯に対するよりも、警告アイコンの背景画像を拡大する。
【００４７】
また、点灯した警告灯の数に応じて背景画像を描画するか否か、背景画像の表示態様を決定しても良い。例えば図１０（ａ）に示すように、警告灯３３のみが点灯している場合は、警告アイコン３３Ｂをベース画像に重畳して表示する。そして、図１０（ｂ）に示すように、警告灯３３に加えて警告灯３１が点灯した場合に、警告アイコン３１Ｂ，３３Ｂをそれぞれ背景画像３１Ｃ，３３Ｃに重畳させて描画する。このように、複数の警告灯が点灯する緊急度の高い状態にある場合は、背景画像を描画することで警告灯の認知度を向上させる。さらに点灯する警告灯の数が増えた場合は、背景画像の色を変えることによって、より警告アイコンへの視認性を高め、警告灯の認知度を向上させても良い。
【００４８】
＜Ｂ−３．効果＞
実施の形態２に係る表示画像生成装置１０１において、表示画像生成部５は、警告灯３１，３３に予め設定された緊急度に応じた態様で警告アイコン３１Ｂ，３３Ｂを表示する表示画像を生成するので、例えば緊急度が高いほど警告アイコンのサイズを大きくすることによって、緊急度の高い警告灯の認知度を高めることが出来る。
【００４９】
また、実施の形態２に係る表示画像生成装置１０１において、メータクラスタ２０は複数の警告灯３１〜３５を有しており、表示画像生成部５は、警告アイコンを点灯中の警告灯の数に応じた態様で表示する表示画像を生成する。点灯中の警告灯の数が多くなるほど、警告アイコンを目立たせて表示することにより、警告灯の認知度を高めることが出来る。
【００５０】
＜Ｃ．実施の形態３＞
＜Ｃ−１．構成、動作＞
実施の形態１では、点灯した警告灯を示す警告アイコンを表示したが、実施の形態３では、警告アイコンに加え、点灯した警告灯と所定の位置関係にある点灯していない警告灯を示すアイコンを、非警告アイコンとして表示する。
【００５１】
実施の形態３の表示画像生成装置１０２の構成は、図１に示す実施の形態１の表示画像生成装置１００の構成と同様である。
【００５２】
図１１は、表示画像生成装置１０２により生成された表示画像を表示する画像表示部２１を含むメータクラスタ２０を示している。警告灯３１〜３５がいずれも点灯しない場合、表示画像生成装置１０２はベース画像のみを表示画像として生成する（図１１（ａ））。警告灯３１が点灯すると、表示画像生成装置１０２は実施の形態１と同様に、警告灯３１の点灯を通知する警告アイコン３１Ｂを背景画像３１Ｃに重畳させた警告オブジェクト３１Ａを、ベース画像に重畳する。さらに、点灯しない警告灯３２，３３，３４，３５のうち、メータクラスタ２０上に警告灯３１と同じ並びで配置されている警告灯３２，３３を対象外警告灯として選択し、これらについて非警告オブジェクト３２Ａ，３３Ａを生成してベース画像に重畳する（図１１（ｂ））。
【００５３】
すなわち、点灯しない警告灯３２，３３，３４，３５のうち、警告灯３２，３３は表示画面の上辺に沿って配置されており、警告灯３４，３５は表示画面の右辺に沿って配置されている。したがって、表示内容判断部４は、最も近い表示画面の辺が警告灯３１と同じ表示画面の上辺である警告灯３２，３３を、対象外警告灯として選択し、警告オブジェクト生成部７に対して、警告灯３２，３３の非警告オブジェクト３２Ａ，３３Ａを生成するよう指示する。
【００５４】
非警告オブジェクト３２Ａは、点灯しない警告灯３２を表す非警告アイコン３２Ｂを背景画像３２Ｃに重畳させたオブジェクトである。また、非警告オブジェクト３３Ａは、点灯しない警告灯３３を表す非警告アイコン３３Ｂを背景画像３３Ｃに重畳させたオブジェクトである。表示画像生成部５は、警告オブジェクト３１Ａ、非警告オブジェクト３２Ａ，３３Ａの位置関係が、これらのオブジェクトが表す警告灯３１，３２，３３の位置関係と対応するように表示画像を生成する。すなわち、表示画面の左から、警告オブジェクト３１Ａ、非警告オブジェクト３２Ａ，３３Ａの順番で表示されるようにし、これは、メータクラスタ２０における警告灯３１，３２，３３の並び順に一致する。また、非警告オブジェクト３２Ａ、３３Ａは警告オブジェクト３１Ａに比べて暗い色調で表示するなどして、両者を表示上区別する。
【００５５】
このように、警告オブジェクト３１Ａに加えて非警告オブジェクト３２Ａ，３３Ａを表示することにより、警告オブジェクト３１Ａのみを表示する場合に比べて、警告オブジェクト３１Ａが示す警告灯をユーザが識別しやすくなる。例えば運転タスクが高いユーザは、画像表示部２１の表示画像をじっくりと視認することが出来ないことがある。そのため、警告オブジェクト３１Ａだけが画像表示部２１に表示されれば、ユーザは警告オブジェクト３１Ａの表示を認識できても、警告オブジェクト３１Ａがいずれの警告灯の点灯を表すものかを認識できないことが考えられる。しかし、同じ並びの警告灯３１〜３３に対応する警告オブジェクト３１Ａ，非警告オブジェクト３２Ａ，３３Ａを表示することにより、警告オブジェクト３１Ａと点灯している警告灯３１との対応が視覚的に分かりやすく、警告表示の視認性が向上する。
【００５６】
図１１（ｃ）は、警告灯３４が点灯した際の画像表示部２１における表示画像を示す図である。警告灯３４が点灯する場合は、警告灯３４を示す警告オブジェクト３４Ａに加えて、警告灯３４と同じ並びの点灯しない警告灯３５を示す非警告オブジェクト３５Ａを表示する。
【００５７】
なお、図１１では、警告アイコン（非警告アイコン）を背景画像に重畳させた警告オブジェクト（非警告オブジェクト）を表示したが、警告アイコン（非警告アイコン）のみを表示しても良い。
【００５８】
＜Ｃ−２．変形例＞
図１１では、非警告オブジェクトを警告オブジェクトに比べて暗く表示することで両者の表示態様を区別しているが、非警告オブジェクトを警告オブジェクトに比べて小さく表示することで、さらに区別を行っても良い。
【００５９】
また、図１１（ｂ）の例で、警告オブジェクト３１Ａ，非警告オブジェクト３２Ａ，３３Ａは、警告灯３１の点灯開始から所定時間が経過したときに表示をやめても良い。この場合、警告オブジェクト３１Ａ，非警告オブジェクト３２Ａ，３３Ａは、表示がなくなるまでの間、徐々に表示サイズが小さくなるフェードアウト表示を行っても良い。また、警告オブジェクト３１Ａは非警告オブジェクト３２Ａ，３３Ａよりも長く表示することにより、表示態様を区別しても良い。
【００６０】
画像表示部２１の表示画面の右上隅に警告灯が配置される場合、表示画面の右辺に沿って配置された警告灯と、上辺に沿って配置された警告灯の両方を対象外警告灯としても良いし、いずれかのグループの警告灯を対象外警告灯としても良い。
【００６１】
また、図１２に示すように、点灯した警告灯３１と同じ並びの点灯しない警告灯のうち、一部の警告灯を対象外警告灯としても良い。図１２（ａ）は警告灯３１が点灯した際に、その右隣の警告灯３２を対象外警告灯とした例であり、図１２（ｂ）は、警告灯３２が点灯した際に、その両隣の警告灯３１，３３を対象外警告灯とした例を示している。
【００６２】
＜Ｃ−３．効果＞
実施の形態３に係る表示画像生成装置１０２において、表示画像生成部５は、点灯しない警告灯の中から点灯中の警告灯との位置関係に基づき選択した対象外警告灯を表す非警告アイコンをベース画像に重畳する表示画像を生成し、表示画像における警告アイコンと非警告アイコンとの位置関係は、点灯中の警告灯と対象外警告灯との位置関係に対応する。したがって、警告アイコンと点灯している警告灯との対応が視覚的に分かりやすく、警告表示の視認性が向上する。
【００６３】
また、表示画像生成部５は、ベース画像に重畳する単色の背景画像に非警告アイコンを重畳する表示画像を生成することにより、非警告アイコンの視認性が向上する。
【００６４】
また、表示画像生成部５は、警告アイコンを非警告アイコンより強調して表示する表示画像を生成することにより、警告アイコンと点灯している警告灯との対応が視覚的に分かりやすく、警告表示の視認性が向上する。
【００６５】
また、画像表示部２１の表示画面は矩形形状であり、表示画像生成部５は、点灯しない警告灯のうち、最も近い表示画面の辺が、点灯中の警告灯から最も近い表示画面の辺に一致する、警告灯の少なくとも一つを対象外警告灯として選択することにより、警告アイコンと点灯している警告灯との対応が視覚的に分かりやすく、警告表示の視認性が向上する。
【００６６】
また、表示画像生成部５は、点灯中の警告灯に隣接する点灯しない警告灯を対象外警告灯として選択することにより、警告アイコンと点灯している警告灯との対応が視覚的に分かりやすく、警告表示の視認性が向上する。
【００６７】
＜Ｄ．実施の形態４＞
図１３は、実施の形態４の表示画像生成装置が生成する表示画像を表示する画像表示部２１を備えたメータクラスタ４０を示す。メータクラスタ４０は、実施の形態１〜３のメータクラスタ２０の構成に加えて、表示灯４１，４２を備えている。表示灯４１，４２は、車両の方向指示器が操作された際に点灯し、警告灯３１〜３５と同様、画像表示部２１の周囲に配置されている。
【００６８】
＜Ｄ−１．構成＞
図１４は、実施の形態４に係る表示画像生成装置１０３の構成を示すブロック図である。図１に示す表示画像生成装置１００の構成に比べて、表示画像生成部５が表示オブジェクト生成部９を備える点が異なる。また、車内ＬＡＮインタフェース部２は、車両の位置情報、車両の走行情報、および警告情報に加えて、表示灯４１，４２の点灯情報を車内ＬＡＮから取得する。表示オブジェクト生成部９は、表示内容判断部４の指示に基づき表示灯４１，４２の点灯を示す表示オブジェクトを生成する。なお、表示オブジェクトを生成するための描画オブジェクトデータは、描画オブジェクトデータ格納部３に格納されている。警告オブジェクト生成部７は、警告灯３１〜３５および表示灯４１，４２の点灯状況に応じて、警告灯３１〜３５の点灯を示す警告オブジェクトを生成する。画像合成部８は、ベース画像生成部６が生成したベース画像と、警告オブジェクト生成部７が生成した警告オブジェクトと、表示オブジェクト生成部９が生成した表示オブジェクトとを合成して、表示画像を生成する。
【００６９】
＜Ｄ−２．動作＞
図１５は、メータクラスタ４０の表示画像例を示している。図１５（ａ）に示すように、いずれの警告灯３１〜３５も表示灯４１，４２も消灯している場合は、周辺地図画像などのベース画像のみが画像表示部２１の表示画面に表示される。
【００７０】
次に、図１５（ｂ）に示すように警告灯３１が消灯すると、画像表示部２１の表示画面に警告灯３１の点灯を通知する警告オブジェクト３１Ａが、ベース画像に重畳して表示される。警告オブジェクト３１Ａは、背景画像３１Ｃと、背景画像３１Ｃに重畳して表示される警告灯３１と同じ図形の警告アイコン３１Ｂを含む。ユーザは、警告オブジェクト３１Ａを視認することにより、警告灯３１の点灯を認知することができる。
【００７１】
次に、図１５（ｃ）に示すように、警告灯３１に加えて表示灯４２が点灯すると、警告オブジェクト３１Ａの表示が消えると共に、表示灯４２の点灯を通知する表示オブジェクト４２Ａが、ベース画像に重畳して表示される。表示オブジェクト４２Ａは、背景画像４２Ｃと、背景画像４２Ｃに重畳して表示される表示灯４２と同じ図形の表示アイコン４２Ｂを含む。ユーザは、表示オブジェクト４２Ａを視認することにより、表示灯４２の点灯を認知することができる。表示灯４２は、方向指示器を操作する間のみ点灯するため、警告灯３１〜３５よりも認知の優先度が高い。したがって、警告灯３１と表示灯４２が共に点灯する場合は、警告オブジェクト３１Ａの表示をやめ、表示オブジェクト４２Ａのみをベース画像に重畳して表示する。
【００７２】
図１６は、表示画像生成装置１０３の動作を示すフローチャートである。以下、図１５の画像表示を実現する表示画像生成装置１０３の動作を、図１６のフローチャートに沿って説明する。なお、ステップＳ１１〜１３は、図３のステップＳ１〜３と同様である。
【００７３】
まず、ベース画像生成部６でベース画像を生成した後（ステップＳ１１）、表示内容判断部４で警告灯３１〜３５のいずれかが点灯しているか否かを判断する（ステップＳ１２）。ここでは、車内ＬＡＮインタフェース部２が警告情報を受信していなければ、いずれの警告灯３１〜３５も点灯しておらず、警告情報を受信していれば、その内容を判断していずれの警告灯３１〜３５が点灯したかを判断する。
【００７４】
ステップＳ１２でいずれの警告灯３１〜３５も点灯していないと判断すると、警告オブジェクト生成部７は警告オブジェクトを透明画像とし、表示オブジェクト生成部９は表示オブジェクトを透明画像とする。なお、透明画像とは、言い換えれば何も生成しないことと同義である。
【００７５】
次に、画像合成部８がベース画像と警告オブジェクトと表示オブジェクトを合成し、表示画像を生成する（ステップＳ２１）。但し、警告オブジェクトと表示オブジェクトは透明画像であるため、合成画像はベース画像に等しく、図１５（ａ）に示す画像となる。
【００７６】
ステップＳ１２で警告灯３１〜３５の少なくともいずれかが点灯していると判断すると、表示内容判断部４は表示灯４１，４２の少なくともいずれかが点灯しているか否かを判断する（ステップＳ１４）。ここでは、車内ＬＡＮインタフェース部２が表示情報を受信していなければ、いずれの表示灯４１，４２も点灯しておらず、表示情報を受信していれば、その内容を判断していずれの表示灯４１，４２が点灯したかを判断する。
【００７７】
ステップＳ１４でいずれの表示灯４１，４２も点灯していないと判断すると、警告オブジェクト生成部７は警告アイコンを生成する（ステップＳ１５）。今、警告灯３１が点灯中であるとすると、警告オブジェクト生成部７は、描画オブジェクトデータ格納部３を参照して、警告灯３１と同じ図形の警告アイコン３１Ｂを生成する。さらに、警告アイコン３１Ｂと背景画像３１Ｃを合成して警告オブジェクト３１Ａを生成する（ステップＳ１６）。
【００７８】
次に、表示オブジェクト生成部９は表示オブジェクトを透明画像とする（ステップＳ１７）。そして、画像合成部８がベース画像と警告オブジェクト３１Ａと表示オブジェクトを合成し、表示画像を生成する（ステップＳ２１）。但し、表示オブジェクトは透明画像であるため、合成後の画像は、ベース画像に警告オブジェクト３１Ａが合成された画像に等しく、図１５（ｂ）に示す画像となる。
【００７９】
ステップＳ１４でいずれかの表示灯４１，４２が点灯していると判断した場合は、表示オブジェクト生成部９が、当該点灯した表示灯４１，４２の表示オブジェクトを生成する。今、表示灯４２が点灯中であるとすると、表示オブジェクト生成部９は描画オブジェクトデータ格納部３から描画オブジェクトデータを取得し、表示灯４２と同じ図形の表示アイコン４２Ｂを生成する（ステップＳ１８）。次に、表示アイコン４２Ｂを背景画像４２Ｃと合成して表示オブジェクト４２Ａを生成する（ステップＳ１９）。
【００８０】
次に、警告オブジェクト生成部７は警告オブジェクトを透明画像とする（ステップＳ２０）。そして、画像合成部８がベース画像と警告オブジェクトと表示オブジェクト４２Ａを合成し、表示画像を生成する（ステップＳ２１）。但し、ここで警告オブジェクトは透明画像であるため、合成後の画像は、ベース画像に表示オブジェクト４２Ａが合成された画像に等しく、図１５（ｃ）に示す画像となる。
【００８１】
上記のとおりステップＳ２１で表示画像生成部５が合成した画像は、画像表示部２１に表示情報として出力される（ステップＳ２２）。こうしてメータクラスタ４０の画像表示部２１において、図１５（ａ）〜（ｃ）に示す画像表示が実現する。次に、操作入力部１に操作入力があるか否かを判断する（ステップＳ２３）。操作入力があればステップＳ１１に戻り、なければステップＳ１２に戻る。
【００８２】
なお、図１５（ｂ）では、表示灯４１，４２が点灯せず警告灯３１が点灯する場合に警告オブジェクト３１Ａを表示する様子を示しているが、このときの警告オブジェクト３１Ａの表示方法には、実施の形態１〜３で説明した表示方法を適用することが可能である。
【００８３】
また、警告灯３１が点灯する場合、警告オブジェクト３１Ａの表示の要否は、表示灯４１，４２の点灯状況だけでなく、ベース画像の内容に従って判断しても良い。例えば、表示灯４１，４２が点灯していなくても、ベース画像が経路案内画像やテロップを含む等、ユーザが確実に視認する必要性の高い画像である場合には、警告オブジェクト３１Ａの表示を行わなくても良い。すなわち、必要に応じて警告灯３１の認知よりもベース画像の視認性を優先する。
【００８４】
＜Ｄ−３．変形例＞
図１５（ｃ）や図１６のフローチャートの説明では、警告灯３１と表示灯４２の両方が点灯した場合、優先度の高い表示灯４２の表示オブジェクト４２Ａを表示するが、警告オブジェクト３１Ａは表示しないものとした。警告オブジェクト３１Ａを非表示にすることは、言い換えれば、警告オブジェクト３１Ａが表示オブジェクト４２Ａより目立たない態様であることの一例である。
【００８５】
警告オブジェクト３１Ａが表示オブジェクト４２Ａに比べて目立たない態様である他の例として、図１７に示すように、背景画像３１Ｃなしで警告アイコン３１Ｂを表示しても良い。また、警告オブジェクト３１Ａを表示オブジェクト４２Ａに比べて小さく表示する等、表示サイズの調整を行っても良い。また、警告オブジェクト３１Ａの表示輝度を表示オブジェクト４２Ａに比べて低くする等、表示輝度の調整を行っても良い。また、警告オブジェクト３１Ａをモノクロで表示する等、表示色の彩度の調整を行っても良い。
【００８６】
あるいは、表示灯４２の消灯時に比べて警告アイコン３１Ｂのサイズを小さくすることにより、警告オブジェクト３１Ａの視認性を下げても良い。
【００８７】
このようにして警告オブジェクト３１Ａの表示態様を変化させることにより、警告オブジェクト３１Ａが表示オブジェクト４２Ａに比べて目立たない態様で表示されるようにしても良い。
【００８８】
また、警告オブジェクト３１Ａの表示態様を変化させるだけでなく、表示オブジェクト４２Ａの表示態様を変化させることにより、相対的に警告オブジェクト３１Ａが表示オブジェクト４２Ａよりも目立たない態様で表示されるようにしても良い。
【００８９】
＜Ｄ−４．効果＞
実施の形態４に係る表示画像生成装置１０３は、警告灯３１〜３５と、車両の機器の操作状況を示す表示灯４１，４２と、画像表示部２１とを有する車両のメータクラスタ４０の、画像表示部２１における表示画像を生成する表示画像生成部５を備える。表示画像生成部５は、警告灯３１が点灯した場合に、警告灯３１の点灯を通知する警告アイコン３１Ｂをベース画像に重畳して表示し、表示灯４２が点灯した場合に、表示灯４２の点灯を通知する表示アイコン４２Ｂをベース画像に重畳する表示画像を生成する。また、警告灯３１と表示灯４２が共に点灯する場合、警告アイコン３１Ｂは表示アイコンより目立たない態様となる。したがって、表示灯４１，４２の認知を優先しつつ、警告灯３１〜３５の認知度を向上させることができる。
【００９０】
また、警告灯３１と表示灯４２が共に点灯する場合、警告アイコン３１Ｂは表示アイコン４２Ｂより目立たない態様として非表示とすることにより、表示灯４１，４２の認知を優先しても良い。
【００９１】
また、表示アイコン４２Ｂより目立たない態様として、警告灯３１と表示灯４２が共に点灯する場合、警告アイコン３１Ｂは表示アイコン４２Ｂより表示サイズが小さいか、表示輝度が低いか、表示色の彩度が低いか、のいずれかであってもよい。これにより、表示灯４１，４２の認知が優先される。
【００９２】
また、表示画像生成部５は、警告灯３１が点灯した場合に、表示灯４２が点灯していなければ警告アイコン３１Ｂをベース画像に重畳して表示する表示画像を生成することにより、表示灯４１，４２の認知を優先しつつ、警告灯３１〜３５の認知度を向上させることができる。
【００９３】
また、表示画像生成部５は、警告灯３１が点灯した後に表示灯４２が点灯すると、警告アイコン３１Ｂの表示を表示アイコン４２Ｂより目立たない態様に変更する表示画像を生成することにより、表示灯４１，４２の認知を優先しつつ、警告灯３１〜３５の認知度を向上させることができる。
【００９４】
また、表示画像生成部５は、警告灯３１と表示灯４２のうち表示灯４２のみが点灯する場合、警告灯３１と表示灯４２が共に点灯する場合よりも、表示アイコン４２Ｂを目立たない態様で表示する表示画像を生成することにより、表示灯４１，４２の認知を優先しつつ、警告灯３１〜３５の認知度を向上させることができる。
【００９５】
また、表示画像生成部５は、警告灯３１と表示灯４２が共に点灯する場合、警告灯３１と表示灯４２のうち警告灯３１のみが点灯する場合よりも、警告アイコン３１Ｂを目立たない態様で表示する表示画像を生成することにより、表示灯４１，４２の認知を優先しつつ、警告灯３１〜３５の認知度を向上させることができる。
【００９６】
なお、実施の形態１〜３で説明した警告アイコンの表示方法を、可能な限り実施の形態４の警告アイコンや表示アイコンの表示に適用しても良い。例えば、警告アイコン３１Ｂを、画像表示部２１の画面中心から警告アイコン３１Ｂが点灯を通知する警告灯３１の側に寄った位置に表示し、表示アイコン４２Ｂを、画像表示部２１の画面中心から表示アイコン４２Ｂが点灯を通知する表示灯４２の側に寄った位置に表示する表示画像を生成すれば、これにより、ユーザは、警告アイコン３１Ｂから警告灯３１を、表示アイコン４２Ｂから表示灯４２を容易に辿り、警告灯３１、表示灯４２の点灯をそれぞれ認知することができる。
【００９７】
また、警告アイコン３１Ｂの画像表示部の表示画面上の表示位置を、警告アイコン３１Ｂが点灯を通知する警告灯３１の点灯開始からの経過時間に応じて変化させ、変化後の表示位置を、画像表示部２１の画面中心から警告灯３１の側に寄った位置としても良い。これにより、ユーザは、警告アイコン３１Ｂから警告灯３１を容易に辿り、警告灯３１の点灯を認知することができる。また、例えば警告灯３１の点灯開始時には画面中心に警告アイコン３１Ｂを表示すれば、ユーザに警告灯３１の点灯を強く認知させることも可能である。
【００９８】
また、表示画像生成部５は、ベース画像に重畳する背景画像３１Ｃに警告アイコン３１Ｂを重畳する表示画像を生成すれば、警告アイコン３１Ｂの視認性が向上する。
【００９９】
また、表示画像生成部５は、警告灯３１と表示灯４２のうち警告灯４２のみが点灯した場合、ベース画像に重畳する背景画像３１Ｃに、警告アイコン３１Ｂを重畳させて表示する表示画像を生成し、警告灯３１と表示灯４２が共に点灯する場合、警告アイコン３１Ｂを背景画像３１Ｃなしでベース画像に重畳させて表示する表示画像を生成する。背景画像３１Ｃなしで警告アイコン３１Ｂをベース画像に重畳することにより、警告アイコン３１Ｂが目立たない態様で表示され、その結果、表示灯４１，４２の認知が優先される。
【０１００】
なお、背景画像３１Ｃを単色又はベース画像と色相が異なる画像とすることにより、背景画像３１Ｃに重畳して表示される警告アイコン３１Ｂの視認性が向上する。
【０１０１】
また、警告アイコン３１Ｂが重畳される背景画像３１Ｃのサイズを、警告アイコン３１Ｂが点灯を通知する警告灯３１の点灯開始からの経過時間に応じて小さくしても良い。これにより、警告灯３１の点灯開始時には、背景画像を大きく表示することでユーザに警告灯３１の点灯を強く認知させ、その後はベース画像の視認を大きく阻害することなく、ユーザに警告灯３１の点灯を認知させ続けることができる。
【０１０２】
また、表示画像生成部５は、警告アイコン３１Ｂを、警告アイコン３１Ｂが点灯を通知する警告灯３１の点灯開始から予め定めた時間のみ表示する表示画像を生成しても良い。このように、ユーザに警告灯３１の点灯を認知させた後は警告アイコン３１Ｂを消去することにより、ベース画像の表示領域を増やすことができる。
【０１０３】
さらに、表示画像生成部５は、点灯を通知する警告灯３１の点灯開始から予め定めた時間が経過した警告アイコン３１Ｂを、予め定めた条件により再表示する表示画像を生成しても良い。例えば、消去してからの所定時間が経過してもなお警告灯３１の点灯が継続する場合に再表示することで、ユーザに警告灯３１の点灯を再認識させることが出来る。
【０１０４】
また、表示画像生成部５は、点灯中の警告灯３１の名称、警告内容、警告への対応方法の少なくともいずれかを示す警告テキストを、背景画像内に表示する表示画像を生成することにより、ユーザは警告アイコン３１Ｂの視認と共に警告灯３１に関する情報を、警告テキストを通して取得することができる。
【０１０５】
また、背景画像内に表示される警告テキストで警告への対応方法を示すものは、車両の停車時に表示することにより、運転時の安全を考慮しても良い。
【０１０６】
また、表示画像生成部５は、警告灯３１〜３５が点灯した場合に、表示灯４１，４２が点灯しておらず、ベース画像が経路案内画像またはテロップを含まなければ、当該警告灯３１〜３５の点灯を通知する警告アイコンをベース画像に重畳する表示画像を生成しても良い。すなわち、必要に応じて警告灯３１〜３５の認知よりもベース画像の視認性を優先する。
【０１０７】
なお、本発明は、その発明の範囲内において、各実施の形態を自由に組み合わせたり、各実施の形態を適宜、変形、省略したりすることが可能である。
【符号の説明】
【０１０８】
１  操作入力部、２  車内ＬＡＮインタフェース部、３  描画オブジェクトデータ格納部、４  表示内容判断部、５  表示画像生成部、６  ベース画像生成部、７  警告オブジェクト生成部、８  画像合成部、２０，４０  メータクラスタ、２１  画像表示部、２２，３１〜３５  警告灯、２２Ａ，３１Ａ，３３Ａ  警告オブジェクト、２２Ｂ，３１Ｂ，３３Ｂ  警告アイコン、２２Ｃ，３１Ｃ，３３Ｃ，４２Ｃ  背景画像、２２Ｄ  警告テキスト、２３  機械式メータ、４１，４２  表示灯、４２Ａ  表示オブジェクト、４２Ｂ  表示アイコン。
【図１】
2015081058.tif 000003
【図２】
2015081058.tif 000004
【図３】
2015081058.tif 000005
【図４】
2015081058.tif 000006
【図５】
2015081058.tif 000007
【図６】
2015081058.tif 000008
【図７】
2015081058.tif 000009
【図８】
2015081058.tif 000010
【図９】
2015081058.tif 000011
【図１０】
2015081058.tif 000012
【図１１】
2015081058.tif 000013
【図１２】
2015081058.tif 000014
【図１３】
2015081058.tif 000015
【図１４】
2015081058.tif 000016
【図１５】
2015081058.tif 000017
【図１６】
2015081058.tif 000018
【図１７】
2015081058.tif 000019